(57)【要約】【課題】後付で簡単に施工でき、結露防止と断熱性を向上する二重窓構造を提供する。【解決手段】この二重窓構造１は、外側のガラスサッシ３と、内側の引き違いの木製引戸５とを有してなる。外側のガラスサッシ３には既存のものが使用できる。木製引戸５は、木製額縁７と、引戸本体９とからなる。そして、木製額縁７の縦辺部分１１に形成された差込凹部１９には、引戸本体９の縦辺部分１１に形成された差込凸部２１が嵌合する。木製額縁７の上下辺部分１３に形成されたスライド凹部２３には、引戸本体９の上下辺部分１３に形成されたスライド凸部２５が嵌合する。引戸本体９の戸枠１５の全周側面に形成された押え凹部２７に押し込まれる押えゴム２９によって、透明又は半透明の樹脂フィルム１７の全周部分が押さえられ固定される。また、戸枠１５には、弾性を有する隙間部材３１が設けられ、他方の引戸本体９に接することで、引戸本体同士間の隙間をなくす。【選択図】図1
2007332651.tif 000002
【特許請求の範囲】
【請求項１】
建築物の外部窓に使用する二重窓の構造であって、外側のガラスサッシと、内側の引き違いの木製引戸と、を有してなり、この木製引戸は、木製額縁と、この木製額縁の内側で左右にスライドする引戸本体と、を有してなり、前記木製額縁は、縦辺部分の内周面に形成された差込凹部と、上下辺部分の内周面に形成されたスライド凹部と、を有し、前記引戸本体は、前記差込凹部に嵌合する差込凸部が縦辺部分の外周面に形成され、前記スライド凹部に嵌合するスライド凸部が上下辺部分の外周面に形成された木製の戸枠と、この戸枠の全周側面に形成された押え凹部と、この押え凹部に押し込まれる押えゴムによって全周部分が押さえられる透明又は半透明の樹脂フィルムと、前記押え凹部の外側で縦辺部分に設けられ、他方の引戸本体に接することで引戸本体同士間の隙間をなくすための弾性を有する隙間部材と、を有することを特徴とする二重窓構造。
【請求項２】
前記樹脂フィルムは、ビニール又はPET樹脂板であり、前記隙間部材は、両面テーフ゜とビスで貼り付けられるピンチブロックであることを特徴とする請求項１記載の二重窓構造。
【請求項３】
前記樹脂フィルムは、乳白のビニールであり、よって和室の和風感を損ねないことを特徴とする請求項１、又は２に記載の二重窓構造。
【発明の詳細な説明】
【技術分野】
【０００１】
この発明は、ガラスサッシ面の結露防止と断熱を目的とする二重窓構造に関する。
【背景技術】
【０００２】
従来多く使用されているサッシは、アルミサッシの単体ガラスが主流で結露も多く断熱性に劣っていた。
その対策として、図５に示す、後付け二重樹脂サッシ１０１が存在する。すなわち、建築物の外壁に設けられた外部窓に既存の引き違いのガラスサッシ１０３があり、その内側に、既に設けられている木製の額縁１０５に対し、樹脂サッシ枠１０７を木ネジ１０９などで取り付け、その後に、樹脂サッシ枠１０７へ引き違いの樹脂製の引戸本体１１１をはめ込む。引戸本体１１１にはガラス板１１２が用いられる。樹脂サッシ枠１０７に形成されるレール１１３の上を、ガラスサッシ１０３の引戸本体１１１の下辺部分に設けられた戸車１１５が走行する。
【発明の開示】
【発明が解決しようとする課題】
【０００３】
しかしながら、この従来の後付け二重樹脂サッシ１０１は、引戸本体１１１の戸車１１５が設けられていない部分とレール１１３との間には隙間が存在し、このため、二重窓としての内部空間の機密性に欠け、空気が出入りするので結露が多く、断熱性も劣っていた。
したがって、結露による建物の損傷、結露によるカビの発生による人体への悪影響、断熱性の低さによる冷暖房費の浪費と問題があった。
【０００４】
よって、この発明が解決しようとする課題は、（１）後付で低コストで簡単に施工でき、しかも（２）結露防止と、（３）断熱性を向上できる二重窓構造を提供することを課題とする。
【課題を解決するための手段】
【０００５】
以上の課題を解決するために、第一発明は、建築物の外部窓に使用する二重窓の構造であって、外側のガラスサッシと、内側の引き違いの木製引戸と、を有してなり、この木製引戸は、木製額縁と、この木製額縁の内側で左右にスライドする引戸本体と、を有してなり、前記木製額縁は、縦辺部分の内周面に形成された差込凹部と、上下辺部分の内周面に形成されたスライド凹部と、を有し、前記引戸本体は、前記差込凹部に嵌合する差込凸部が縦辺部分の外周面に形成され、前記スライド凹部に嵌合するスライド凸部が上下辺部分の外周面に形成された木製の戸枠と、この戸枠の全周側面に形成された押え凹部と、この押え凹部に押し込まれる押えゴムによって全周部分が押さえられる透明又は半透明の樹脂フィルムと、前記押え凹部の外側で縦辺部分に設けられ、他方の引戸本体に接することで引戸本体同士間の隙間をなくすための弾性を有する隙間部材と、を有することを特徴とする二重窓構造である。
【０００６】
第二発明は、さらに、前記樹脂フィルムは、ビニールであり、前記隙間部材は、両面テーフ゜とビスで貼り付けられるピンチブロックであることを特徴とする二重窓構造である。
第三発明は、さらに、前記樹脂フィルムは、乳白のビニールであり、よって和室の和風感を損ねないことを特徴とする二重窓構造である。
【発明の効果】
【０００７】
第一、第二、又は第三発明によれば、下記（１）（２）（３）（４）の効果を執する。すなわち、二重窓の構造とするために、既存の外側のガラスサッシに対して、後付けで設けられる内側の引き違いの木製引戸は、（１）木製額縁と、ガラスの代わりに樹脂フィルムを有する木製の引戸本体によって構成されるので、軽量であり、しかも加工性に優れ、このため後付が低コストで簡単に施工できる。
【０００８】
また、（２）軽量であるため、スライド凹部に嵌合するスライド凸部によってスライド動作でき、このため戸車を用いずに済み、戸車を原因とする隙間がなく、上下辺部分の機密性に優れる。また、差込凹部に差込凸部が嵌合することで、縦辺部分の機密性に優れる。
更に、弾性を有する隙間部材によって引戸本体同士間の機密性に優れる。これらにより二重窓としての内部空間の機密性が全うされ、空気の出入りを防止できるので結露防止が図れる。
【０００９】
更に（３）上記（２）のように二重窓としての内部空間の機密性が全うされ、空気の出入りを防止でき、しかも、二重窓としての内部空間の空気に接する内側の面は、木製引戸の樹脂フィルムであり、熱の伝達が抑えられる。よって、断熱性を向上できる。
なお、（４）窓ガラスが割れるほどの地震が起きても、後付け二重樹脂サッシとは異なり内側にはガラスを使用しておらず、樹脂フィルムは割れない。また、外側のガラスが割れても内側の樹脂フィルムによって、室内への内部飛散を防ぐことができる。
【００１０】
また、第二、又は第三発明によれば、さらに、樹脂フィルムとして安価なビニールを使用し、隙間部材として安価なピンチブロックを安価な両面テーフ゜とビスで貼り付けることで、安価な二重窓構造を得ることができる。
また、第三発明によれば、さらに、樹脂フィルムを乳白のビニールとすることで、二重窓構造を和室に設ける場合でも、和室の和風感を損ねない。
【発明を実施するための最良の形態】
【００１１】
この発明の一実施形態を、図1〜図４に示す。
この二重窓構造１は、外側のガラスサッシ３と、内側の引き違いの木製引戸５と、を有してなる。外側のガラスサッシ３には既存のものが使用できる。
そして、木製引戸５は、通常は木製の既存額縁６の内周面に取り付けられる。木製額縁７と、この木製額縁７の内側で左右にスライドする引戸本体９とからなる。
木製額縁７は、左右の縦辺部分１１と上下辺部分１３（鴨居と敷居に相当する）とを有する。引戸本体９は、木製の戸枠１５や樹脂フィルム１７などで構成される。戸枠１５は、左右の縦辺部分１６と上下辺部分１８とを有する。
【００１２】
そして、木製額縁７の縦辺部分１１の内周面に形成された差込凹部１９には、戸枠１５の縦辺部分１１の外周面に形成された差込凸部２１が嵌合する。木製額縁７の上下辺部分１３の内周面に形成されたスライド凹部２３には、戸枠１５の上下辺部分１８の外周面に形成されたスライド凸部２５が嵌合する。
【００１３】
さらに、戸枠１５の全周側面に形成された押え凹部２７に押し込まれる押えゴム２９によって、透明の樹脂フィルム１７であるビニールの全周部分が押さえられ固定される。網戸の網を固定するのとほぼ同様の構造である。また、戸枠１５には、縦辺部分１６に、押え凹部２７の外側で、弾性を有する隙間部材３１であるピンチブロック３３が設けられる。ピンチブロック３３は、両面テーフ゜３３Ａとビス３３Ｂで貼り付けられて設けられる。
【００１４】
この隙間部材３１が、引戸が閉じた状態で他方の引戸本体９の縦辺部分１６に接することで、引戸本体９同士間の隙間をなくす。また、戸枠１５は反りが想定されるためクレセントを１個〜2個設けて反りによる隙間を解消する。
木製額縁７や木製の戸枠１５などが、その木材の水分吸収により変形を生じることを軽減するため、その木部にステンクリアー（ＯＳ,ＣＬ）を塗布する。
木製額縁７の下辺部分１３の内周面に形成されたスライド凹部２３（鴨居の溝に相当する）に、滑りを良くするため敷居用スベリテープ等を貼り付ける。
【００１５】
「実施形態の効果」
この実施形態によれば、二重窓の構造とするために、既存の外側のガラスサッシ３に対して、後付けで設けられる内側の引き違いの木製引戸５は、（１）木製額縁７と、ガラスの代わりに樹脂フィルム１７を有する木製の引戸本体９によって構成されるので、軽量であり、しかも加工性に優れ、このため後付が低コストで簡単に施工できる。
【００１６】
また、（２）軽量であるため、スライド凹部２３に嵌合するスライド凸部２５によってスライド動作でき、このため戸車１１５を用いずに済む。よって、戸車１１５を原因とする隙間がなく、上下辺部分１３の付近の機密性に優れる。また、差込凹部１９に差込凸部２１が嵌合することで、縦辺部分１１の付近の機密性に優れる。更に、弾性を有する隙間部材３１によって引戸本体同士間の機密性に優れる。これらにより二重窓としての二重部分の内部空間の機密性が全うされ、よって空気の出入りを防止でき、閉じ込めた空気により空気層（断熱層）を作るので、結露防止が図れる。
【００１７】
更に（３）上記（２）のように二重窓としての内部空間の機密性が全うされ、空気の出入りを防止できる。しかも、二重窓としての内部空間に、閉じ込められた空気に接する内側の面は、木製引戸５の樹脂フィルム１７であり、熱の伝達が抑えられる。よって、断熱性を向上できる。よって、暖房や冷房などの省エネ対策もでき、建築物の維持にも経済的である。
【００１８】
なお、（４）窓ガラスが割れるほどの地震が起きても、後付け二重樹脂サッシ１０１とは異なり内側にはガラス板１１２を使用しておらず、ガラス板１１２に相当する樹脂フィルム１７は割れない。
また、外側のガラスサッシ３のガラス板が割れても内側の樹脂フィルム１７によって、室内への内部飛散を防ぐことができる。
また（５）押えゴム２９で樹脂フィルム１７を固定することにより、後付の二重窓構造１を安価に供給できる。
【００１９】
「実験結果」
この発明の実施例が実際に優れた結露防止効果を有することを、以下のＡ〜Ｇの比較実験により確認した。すなわち、
Ａ：    この発明の実施例であり、前記実施形態に従い、以下の構成要素を有する。外側のガラスサッシ３は、アルミサッシでYKK AP(株)社製の商品名 「引き違い窓」であり、Ａ〜Ｇ共通のものを使用する。木製の既存額縁６は、Ａ〜Ｇ共通で、内側寸法が縦1290ｍｍ、横  1360ｍｍ、内外方向の幅が、110ｍｍで、厚さが21ｍｍである。木製引戸５の木製額縁７は、Ｃ〜Ｇ共通で、内側寸法が縦1254ｍｍ、横1324ｍｍ、内外方向の幅が、50ｍｍで、厚さが18ｍｍである。木製引戸５の引戸本体９は、Ｄ〜Ｇ共通で、内側寸法が縦1172ｍｍ、横597ｍｍ、内外方向の幅が、45ｍｍで、上下辺の上下の厚さが45ｍｍで、左右辺の左右の厚さが45ｍｍである。
【００２０】
また、差込凹部１９の深さは、3ｍｍである。スライド凹部２３の深さは、3ｍｍである。押え凹部２７の深さは4ｍｍで、押えゴム２９の外径は、4ｍｍである。樹脂フィルム１７であるビニールの厚さは、0.5〜1ｍｍである。隙間部材３１であるピンチブロック３３は、    ピンチブロック（株）社製の型式＃12-Pである。
【００２１】
Ｂ：    樹脂サッシを用いた従来例は、YKKAP（株）社製の商品名「プラマードU引き違い」である。図５に示したように、前記Ａと同様の木製の既存額縁１０５に対し、樹脂サッシ枠１０７を木ネジ１０９で取り付け、樹脂製の引戸本体１１１をはめ込む。引戸本体１１１にはガラス板１１２が用いられる。樹脂サッシ枠１０７に形成されるレール１１３の上を、ガラスサッシ１０３の引戸本体１１１の下辺部分に設けられた２個の戸車１１５が走行する。レール１１３の高さは、10ｍｍで、戸車１１５は一枚の引戸本体１１１に２個使用され、径は20ｍｍである。
【００２２】
Ｃ：    戸枠を木製ではなくプラスチック製とした比較例であり、他は、前記Ａと同様である。
Ｄ：    樹脂フィルムではなく紙とした比較例であり、他は、前記Ａと同様である。
Ｅ：    差込凹部凸部ではなくフラットとした比較例であり、他は、前記Ａと同様である。
Ｆ：    スライド凹部凸部ではなく戸車とした比較例であり、他は、前記Ａと同様である。
Ｇ：    隙間部材を設けない比較例であり、他は、前記Ａと同様である。
【００２３】
これらのＡ〜Ｇを用いて、冬季の１２月と１月の２ヶ月間に、比較実験を行った。結露の付着状況を、二重窓構造のガラスサッシの面と引戸の面について、評価した。ガラスサッシの面は、外気に触れる外面は通常は結露しないので、主に内面についての評価となる。引戸の面は、内外面について、あわせて評価した。ガラスサッシの面と引戸の面の両面の平均も表した。評価方法は、目視により、薄ら結露している場合、結露が多い場合、結露がない場合の３つに分け、それぞれの評価がされた日数を、全体の日数で割った％数値により、表わした。
【００２４】
その結果を図６に示す。このうち、Ｄの木製引き戸の面は、紙であり、結露を吸収するので、結露があっても目視できず、評価ができなかったので、ガラスサッシの面だけによる評価とした。
総合評価は、Ａ、Ｅ、G、Ｂ、F、Ｄ、Cの順であった。この総合評価の方法は、内外の窓が結露しない，次に結露多いか少ないか、次に薄っすら結露が少ない、の順で成績順に並べて評価した。
【００２５】
Ａ本発明の実施例とＢ従来例（樹脂サッシ）とを比較すると、例えばＢが結露の多い日が４６％あるのに比べ、Ａは０％であり、著しい効果があることがわかる。そして、Ｅ、Ｇ、Ｂ、Ｆ、Ｃの順位を見ると、Ａの著しい効果を生じるための構成要素の有効性は、Ｃの結果から「木製の戸枠」、Ｄの結果から「樹脂フィルム」、Ｆの結果から「スライド凹部凸部」、Ｇの結果から「隙間部材」、Ｅの結果から「差込凹部凸部」の順であることがわかる。
【００２６】
「他の実施形態」 
以上の実施形態では、戸枠１５には、引戸５が閉じた状態で、一方の引戸本体９が他方の引戸本体９の縦辺部分１６に接するように、隙間部材３１であるピンチブロック３３を縦辺部分１６一ヶ所だけに設けている（図１、図４（Ｂ）参照）が、他の実施形態では、他方の引戸本体９の縦辺部分１６に接する縦辺部分１６みではなく、木製額縁７の縦辺部分１１の差込凹部１９に嵌合する差込凸部２１が形成された縦辺部分１６にも、隙間部材３１であるピンチブロック３３を設けてもよい。さらには、木製額縁７の上辺部分（鴨居に相当する）に接する戸枠１５の上辺部分１８にも、隙間部材３１を設けてもよい。
【００２７】
以上の実施形態では、樹脂フィルム１７は、透明なビニールであったが、他の実施形態では、ビニール以外のＰＥＴ樹脂板など１７でもよい。また、透明でなく、半透明とすることもできる。半透明の乳白色とすることで、和風感を出すことができる。特に、和室の窓部分には、乳白のビニールを用いることで、和室の和風感を損ねないで本発明を実施できる。
【００２８】
以上の実施形態では、木製引戸５は、木製の既存額縁６の内周面に取り付けられるものであったが、他の実施形態では、このような既存額縁６が存在しないときには、建物躯体３５の木製やコンクリート製の壁に直接に取り付けることも可能である。
また、以上の実施形態では、戸枠１５の縦辺部分１６の差込凸部２１は、図では縦辺部分１６と同じ幅であったが、他の実施形態では、縦辺部分１６の幅よりも小さな実質上の凸部とすることもできる。この明細書で、凹部に嵌合する凸部とは、凹部に嵌合する幅を有する部分の意味である。
【図面の簡単な説明】
【００２９】
【図１】この発明の一実施形態を示す二重窓構造の水平断面図である。
【図２】図１の垂直断面図である。
【図３】図１の全体の正面図である。
【図４】（Ａ）は図３の水平断面部分を表す斜視図、（Ｂ）は（Ａ）のＢ部分の水平断面拡大図である。
【図５】従来技術を示す垂直断面図である。
【図６】実験結果を示す表である。
【符号の説明】
【００３０】
１…二重窓構造、３…ガラスサッシ、５…木製引戸、７…木製額縁、９…引戸本体、１１…縦辺部分、１３…上下辺部分、１５…戸枠、１７…樹脂フィルム、１９…差込凹部、２１…差込凸部、２３…スライド凹部、２５…スライド凸部、２７…凹部、２９…ゴム、３１…隙間部材、３３…ピンチブロック、３３Ａ・・両面テーフ゜、３３Ｂ・・ビス、３５・・建物躯体、１０１…二重樹脂サッシ、１０３…ガラスサッシ、１０５…額縁、１０７…樹脂サッシ枠、１０９…木ネジ、１１１…引戸本体、１１３…レール、１１５…戸車。
【図１】
2007332651.tif 000003
【図２】
2007332651.tif 000004
【図３】
2007332651.tif 000005
【図４】
2007332651.tif 000006
【図５】
2007332651.tif 000007
【図６】
2007332651.tif 000008